(57)【要約】【課題】板状の断熱材を断熱材支持枠間に充てん施工する場合において、断熱欠損が少ない簡便な施工を実現する固定具及び断熱施工方法を提供することを目的とするものである。【解決手段】建物の断熱層における支持枠間に充填した板状の断熱材を下地面に密着固定するための断熱材用固定具であって、断熱材を貫通して挿入される引掛り部と、該引掛り部を貫通させた後前記引掛り部の挿入方向と逆側に前記引掛り部を引戻すための引張り部で構成したことを特徴とする断熱材用固定具。【選択図】  図１
2005016004.tif 000002
【特許請求の範囲】
【請求項１】
建物の断熱層における支持枠間に充填した板状の断熱材を下地面に密着固定するための断熱材用固定具であって、断熱材を貫通して挿入される引掛り部と、該引掛り部を貫通させた後前記引掛り部の挿入方向と逆側に前記引掛り部を引戻すための引張り部で構成したことを特徴とする断熱材用固定具。
【請求項２】
前記引張り部は一対のテープ状物で形成されていることを特徴とする請求項１に記載の断熱材用固定具。
【請求項３】
前記引掛り部は前記引張り部の根元部に張り出し部として形成されていることを特徴とする請求項１〜２のいずれかに記載の断熱材用固定具。
【請求項４】
建物の支持枠間に板状の断熱材を充填し、下地面に密着固定するための断熱層の施工方法であって、断熱材を貫通して、請求項１〜３のいずれかに記載の断熱材用固定具の引掛り部を挿入し、該引掛り部を貫通させた後前記引掛り部の挿入方向と逆側に前記引掛り部を引戻すことにより下地面に断熱材を引き寄せて固定させることを特徴とする断熱層の施工方法。
【請求項５】
前記板状の断熱材が、発泡ポリエチレン、発泡ポリスチレン、ウレタンフォーム、フェノールフォーム、発泡ポリプロピレン等の発泡プラスチック系の板状の断熱材であることを特徴とする請求項４に記載の断熱層の施工方法。
【発明の詳細な説明】
【０００１】
【発明の属する技術分野】
本発明は、住宅等において、板状の断熱材を施工する際に用いる断熱材用固定具及び断熱層の施工方法に関するものである。
【０００２】
【従来の技術】
従来、住宅の床下地の施工において、大引きまたは根太を支持枠として板状の断熱材を充填施工する場合、あらかじめ前記断熱材を支持するため、金具、釘、木材等の受け材を要所に配設し、該受け材の上に前記断熱材を乗せるようにして充填する方法、あるいは前記断熱材を充填した後に前記受け材を使用して大引き及び根太の要所で支持する方法が行われている。しかし、前記断熱材は要所で支持されているのみであるため、前記受け材と受け材の間に部分的に垂れ下がりや隙間が生じ、所要の断熱性能が確保できない場合がある。そこで、この垂れ下がりを防止するため、大引き及び根太に前記断熱材を床下側から釘止めすること等が行われている。（例えば、特許文献１参照）。
【０００３】
一方、壁下地の施工において柱・間柱を支持枠として板状の断熱材を室内側から充填施工する場合、外壁側に押し込み過ぎると室内側に引き戻すことが困難である。そこで、前記断熱材の周囲にあらかじめフィルム耳を付けておき、前記押し込み過ぎた断熱材のフィルム耳を室内側に引き、前記断熱材を所定の位置に引き戻すことも行われている。
しかし、上記床下地の施工において大引き及び根太に板上の断熱材を床下側から釘止めすることは、床下に潜り込んでの作業となるために著しく作業性が劣る。また、上記壁下地の施工においては、柱・間柱を支持枠として板状の断熱材を充填施工する場合、施工誤差に合わせ断熱材の幅や長さを調整するために現場切断する場合も多い。この場合前記フィルム耳付き断熱材のフィルム耳も切除されてしまい、実際には、外壁側に押し込み過ぎた断熱材をフィルム耳を使って室内側に引き、前記断熱材を所定の位置に引き戻すことができない。
【０００４】
【特許文献１】
特開２００１−１１５５７４公報
【０００５】
【発明が解決しようとする課題】
本発明は、簡易で作業性に優れた断熱材用固定具およびそれを用いた施工法の提供を目的とする。
【０００６】
【課題を解決するための手段】
本発明者らは、上記課題につき、鋭意検討の結果、簡便な固定具により、垂れ下がり隙間等の断熱欠損が少ない簡便な施工を実現しうることを見出し本発明を完成した。
すなわち、本発明は、下記のとおりである。
１．建物の断熱層における支持枠間に充填した板状の断熱材を下地面に密着固定するための断熱材用固定具であって、断熱材を貫通して挿入される引掛り部と、該引掛り部を貫通させた後前記引掛り部の挿入方向と逆側に前記引掛り部を引戻すための引張り部で構成したことを特徴とする断熱材用固定具。
２．前記引張り部は一対のテープ状物で形成されていることを特徴とする１．に記載の断熱材用固定具。
【０００７】
３．前記引掛り部は前記引張り部の根元部に張り出し部として形成されていることを特徴とする１．〜２．のいずれかに記載の断熱材用固定具。
４．建物の支持枠間に板状の断熱材を充填し、下地面に密着固定するための断熱層の施工方法であって、断熱材を貫通して、１．〜３．のいずれかに記載の断熱材用固定具の引掛り部を挿入し、該引掛り部を貫通させた後前記引掛り部の挿入方向と逆側に前記引掛り部を引戻すことにより下地面に断熱材を引き寄せて固定させることを特徴とする断熱層の施工方法。
５．前記板状の断熱材が、発泡ポリエチレン、発泡ポリスチレン、ウレタンフォーム、フェノールフォーム、発泡ポリプロピレン等の発泡プラスチック系の板状の断熱材であることを特徴とする４．に記載の断熱層の施工方法。
【０００８】
【発明の実施の形態】
以下、図面を参照して本発明の実施形態を説明する。
図１は、本発明に係る断熱材用固定具の第１の実施例を示した図である。図１の断熱材用固定具は、一対の引張り部１、２及び該引張り部の根元部４から両側に張り出し部として形成されている引掛り部３で構成され、引張り部と引掛り部は引張り部の根元部で接着固定されている。
【０００９】
図２は、本発明に係る断熱材用固定具の第２の実施例を示した図である。図２の断熱材用固定具は、一対の引張り部５、６及び該引張り部５が該引張り部５の根元部８から引張り部６の側に延長して張り出し部として形成されている引掛り部７で構成され、引張り部と引掛り部は根元部で接着固定されている。
本発明に係る断熱材用固定具（以下固定具）の長さは断熱材の厚さに対し、充分に長めにしておくことが好ましい。断熱材の厚さに合わせて適宜切除することにより長さの調整ができるからである。
【００１０】
固定具の形状は、引張り部、引掛り部ともテープ状で充分に薄いものが好ましく、固定具の材質は、金属、合成樹脂等が挙げられ、例えばポリプロピレン製のＰＰバンド等の合成樹脂製が好ましい。板状の断熱材に貫通挿入しやすいこと、及び貫通孔が隙間程度のものとなり、断熱性能上の欠損部分にならないからである。
図３は、本発明に係る断熱材用固定具の第１の実施例を使用した場合の施工手順を示した図である。
【００１１】
まず、図３（ａ）において固定具の一対のテープ状の引張り部１と引掛部３の張り出し部の片側を重ね合わせて、固定具全体を薄板状かつ直線状に変形させる。板状の断熱材９を貫通するに容易な形状にするためである。
次に図３（ｂ）において固定具を引掛り部３の部分を板状の断熱材９を完全に突き抜けさせた状態にする。このとき、固定具を板状の断熱材９に直接差し込むことが可能であり、また、前記断熱材にあらかじめカッター等で設けたスリット状の貫通孔を設けておきこれに挿入してもよく、さらに板状の断熱材同士を突きつけた継ぎ目部の端面（小口面）の間に挿入し、固定具の引張部を挟むようにして構成（図示しない）してもよい。
【００１２】
次に図３（ｃ）において固定具の引掛り部３の部分を貫通させた後、固定具全体を逆Ｔ字状になるように形状を整える。引掛り部３をアンカーにして板状の断熱材９を下地材側に引き戻ししやすくするためである。このとき、前記引張り部のうち引張り部２の先端部２ａを引張り部１の先端部１ａに揃え合わせて引き上げると、引掛り部３の張り出し部が回転し、前記断熱材９と平行になり、固定具全体が逆Ｔ字状に形成される。
【００１３】
次に図３（ｄ）において前記重ね合わせた引張り部１、２を引っ張ることにより、板状の断熱材９を引掛り部３が引っ掛かり、垂れ下がった、又は押し込み過ぎた断熱材９を所定の位置に引き戻すことができる。
次に図３（ｅ）においてさらに前記重ね合わせた引張り部１、２を引っ張った状態のまま合板等１０の端面（小口面）で折り返したうえで、該合板等の表面にステープル等の留付材で留め付け、さらに前記合板の端面（小口面）に他の合板端面（小口面）を突き付けて下地面を構成する。断熱材を下地面に引き戻した状態を保持しておくためでる。
【００１４】
なお、本実施例の固定具は、一対（２本）の引張り部を有したものに拘泥されるものではなく、前記引張り部が１本に構成されたものでもよい。すなわち、断熱材への挿入時は、固定具全体が直線状に変形され、貫通後に逆Ｔ字状等に復元されるものであればよい。挿入時に挿入が容易であり、かつ引き戻し時に断熱材に引掛る部分（アンカー）があればよいからである。
以上の構成により、板状の断熱材９は固定具により合板１０等の下地材に密着固定させることができ、断熱材９の垂れ下がり等を防止できる。
【００１５】
本発明において、支持枠とは、大引き、根太、柱、または間柱を含み、断熱材を支持する枠状体をいう。
図４は、住宅の床下地における断熱施工の実施例を示した図である。本実施例の床下地は、大引き１１間に板状の断熱材１２を充填し、その上に床下地材１３で床下地面を形成する。この際、大引き１１には大引き間に充填する断熱材１２の割付に合わせて受け材（図示しない）を設置し、各々の断熱材１２を支持すべき支持枠として構成する。受け材にはＺ型の金具等を使用し、断熱材１２の形状、割付位置に合わせて要所に設置する。また、断熱材にはカッター等でスリット状の切り込みをいれ、固定具１４を挿入している。
【００１６】
固定具は、図３の手順に従い施工されている。すなわち、板状の断熱材１２にカッター等で設けたスリット状の貫通孔に固定具を挿入し、床下側に一旦貫通させた後、引張り部を床上側に引き上げ、引き上げた状態のまま床下地材１３の端面（小口面）にステープル等により留付けた後床下地面より突出した引張り部の部分を切断している。さらに前記床下地材１３の端面には、他の床下地材１３の端面を突き付けて全体の床下地面を構成している。ここで、突出した引張り部の部分を切断するのは、引張り部を端面（小口面）で折り返したうえで、前記床下地面に留めると該床下地面に突起ができてしまい仕上げ施工上の邪魔になるからである。また、固定具は、ＰＰバンドのように充分に薄いものを使用している。床下地材同士の突き付け部の隙間を微小にするためである。なお、断熱材１２としては発泡ポリエチレン、発泡ポリスチレン、ウレタンフォーム、フェノールフォーム、発泡ポリプロピレン等の発泡プラスチック系の板状の断熱材が好ましいが、例えばボード状のロックウール、グラスウール等断熱材の表層に面材がある場合、或いは固さが充分な場合は、繊維系断熱材でも良い。床下地材１３は一般的に構造用合板等が用いられるが、壁施工においては、壁下地材として石膏ボード等も使用できる。
【００１７】
【発明の効果】
本発明は以上の構成からなるもので、以下の効果を有する。
（１）本発明の固定具を使用すれば、断熱材や下地材の貫通部の隙間をできるだけ小さくしつつ、床下地の断熱材の床下側への垂れ下がった場合、又は壁下地の断熱材を押し込み過ぎた場合も所定の位置に引き戻すことができる。また、固定具（引張り部）の長さを調整することにより様々な厚みの断熱材にも対応することができる。
（２）本発明の断熱層の施工方法によれば、断熱層や下地面全体の貫通部の隙間の面積を最小限に抑えつつ、断熱材を床、又は壁の下地面に引き寄せて密着固定できるので、優れた断熱性能を確保した施工ができる。
【図面の簡単な説明】
【図１】断熱材用固定具の第１の実施例を示す斜視図である。
【図２】断熱材用固定具の第２の実施例を示示す斜視図である。
【図３】断熱施工方法の施工手順を示す説明図である。
【図４】床に断熱施工方法を行う場合の例を示す斜視図である。
【符号の説明】
１    固定具の引張り部
１ａ  引張り部の先端部
２    固定具の引張り部
２ａ  引張り部の先端部
３    固定具の引掛り部
４    引張り部の根元部
５    固定具の引張り部
６    固定具の引張り部
７    固定具の引掛り部
８    引張り部の根元部
９    板状の断熱材
１０    床下地材
１１    大引き
１２    板状の断熱材
１３    床下地材
１４    固定具
【図１】
2005016004.tif 000003
【図２】
2005016004.tif 000004
【図３】
2005016004.tif 000005
【図４】
2005016004.tif 000006